(57)【特許請求の範囲】
【請求項１】
２つのケーシング構成体（１１ａ，１１ｂ）を突き合わせることで当該突合せ部に気密性を保つように構成されたユニットケースのケーシング構造において、ユニットケース（１１）外に突出し２つのケーシング構成体（１１ａ，１１ｂ）を締め付け固定するために形成されたケース固定部（２０）に、ユニットケース（１１）の解体を容易にする破壊溝（１６）を形成したことを特徴とするユニットケースのケーシング構造。
【請求項２】
ケース固定部（２０）は、ビス止めにより固定されるボス部（１４）である請求項１記載のユニットケースのケーシング構造。
【請求項３】
ケース固定部（２０）は、係止孔（１９）とこれに係止する係止爪（１８）とを備えた係止固定部である請求項１記載のユニットケースのケーシング構造。
【請求項４】
破壊溝（１６）は、ユニットケース（１１）とボス部（１４）との境目に形成されている請求項２記載のユニットケースのケーシング構造。
【請求項５】
破壊溝（１６）は、ボス部（１４）のビス孔（２１）の位置に形成されている請求項２記載のユニットケースのケーシング構造。
【発明の詳細な説明】
【０００１】
【発明の属する技術分野】
本発明は、例えば、自動車用空気調和装置等に用いられるクーラユニット、ヒータユニット等を構成するユニットケースを解体処理するに際し、当該ユニットケースの解体を容易にするケーシング構造に関する。
【０００２】
【従来の技術】
自動車用空気調和装置等に用いられるクーラユニット等のユニットケースは、２つのケーシング構成体を突き合わせることにより構成されているが、その突き合わせ端部には、凹凸部が形成されており、これらの凹凸部を嵌合させることによってユニットケースの気密性を維持するようになっている。そして、このユニットケースの気密性を損なわないようにするために、両ケーシング構成体を締め付け固定する必要がある。そこで、ユニットケースには、ケース外に突出するビス固定用のボス部が多数突設され、このボス部で両ケーシング構成体をビス固定しているのが通常である。
【０００３】
【発明が解決しようとする課題】
ところで、近年、この種のユニットケースにも、製品の再利用、すなわちリサイクルが叫ばれており、これを解体して再使用可能な部品等を回収する動きが出てきている。このような部品を回収する場合、従来構造のユニットケースでは、１ケースにつき、上記のように多数のビスにより固定されているため、その解体には、これらのビスを一つづつ外す作業を必要としていた。
【０００４】
本発明は、上記課題を解決するもので、ケースの解体を短時間で容易に行なえ、リサイクル部品の回収が容易で、分類別の廃棄処分が可能なケーシング構造を提供することを目的とする。
【０００５】
【課題を解決するための手段】
上記目的を達成する本発明は、２つのケーシング構成体を突き合わせることで当該突合せ部に気密性を保つように構成されたユニットケースのケーシング構造において、ユニットケース外に突出し２つのケーシング構成体を締め付け固定するために形成されたケース固定部に、ユニットケースの解体を容易にする破壊溝を形成したことを特徴とするユニットケースのケーシング構造である。
【０００６】
かかる発明にあっては、ケース固定部に形成した破壊溝に汎用工具類の先端を差し込んで破断方向に力を加えれば、ケース固定部は、この破壊溝から破壊され、破れ落ちる。これでユニットケースの固定状態が解け、同ケースを構成する両ケーシング構成体を短時間で容易に解体することができ、また、解体後のリサイクル部品の回収も容易となる。
【０００７】
ケース固定部は、ビス止めのためのボス部として構成されており、破壊溝は、このボス部でユニットケースとの境目に形成されている。この場合、破壊溝は、該ケース外面に沿ったボス部の全幅に形成することもできるが、取り付け作業時等における不用意な接触では容易に破損しないように、溝両端をボス部に残した閉じ溝とするのが好ましい。
【０００８】
また、ケース固定部は、係止孔とこれに係止する係止爪を備えた係止固定部として構成することもできる。この場合の破壊溝は、係止孔や係止爪の基部付近に形成する。なお、ケース固定部がボス部である場合において、破壊溝はビス孔の位置に形成することもできる。
【０００９】
【発明の実施の形態】
以下、本発明の実施の形態を図面に基づいて説明する。
【００１０】
図１ないし図３には、本発明の実施の形態１が示されている。ユニットケース１１は、例えば、自動車用空気調和装置等に用いられるクーラユニット、ヒータユニット等を構成するもので、ケーシング構成体１１ａおよび１１ｂにより構成されている。ケーシング構成体１１ａ，１１ｂの突き合わせ端部には、それぞれ凸部１２および凹部１３が形成され、これら凸部１２と凹部１３とが嵌め合わされて、ユニットケース１１の気密性を維持するようになっている。ケーシング構成体１１ａおよび１１ｂの突き合わせ部位の外面には、それぞれ複数のボス片１４ａ，１４ｂが対向して連成突設されており、これらボス片１４ａと１４ｂとでボス部１４を構成している。このボス部１４がケース固定部２０として機能する。そして、両ケーシング構成体１１ａ，１１ｂは、このボス部１４でビス１５により締め付けられ、固定されている。
【００１１】
ボス部１４とユニットケース１１の境目には、ボス部１４の上下両面から破壊溝１６が形成されている。この破壊溝１６は、ユニットケース１１を解体するためのもので、汎用工具類１７先端が挿入可能な溝幅を有している。破壊溝１６は、ボス部１４の両面に、一方は深溝、他方は浅溝として形成することが好ましく、また、取り付け作業時等における不用意な接触では容易に破損しないように、溝両端をボス部１４に残した閉じ溝とするのが好ましい（図２参照）。
【００１２】
上記ケーシング構造にあっては、破壊溝１６の例えば深溝の方に汎用工具類１７先端を挿入し、破断方向に力を加えれば、図３に示すように、ボス部１４がこの破壊溝１６から破壊され、破れ落ちる。これでユニットケース１１を構成する両ケーシング構成体１１ａ，１１ｂを短時間で容易に解体することができ、解体後のリサイクル部品の回収も容易となる。
【００１３】
図４には、本発明の実施の形態２が示されている。この実施の形態では、ケーシング構成体１１ａ，１１ｂの固定を、ケーシング構成体１１ａ側に連成突設された係止爪１８と、この係止爪１９が係止されるケーシング構成体１１ｂ側に連成突設された係止孔１９で行ない、これら係止爪１８と係止孔１９によりケース固定部２０を構成している。そして、破壊溝１６は、係止爪１８と係止孔１９のそれぞれの連成基部に形成されている。この実施の形態では、汎用工具類１７先端を係止孔１９側の深い方の破壊溝１６に挿入し、破壊することになる。その他の構成、作用および効果は実施の形態１に準じる。
【００１４】
図５には、本発明の実施の形態３が示されている。この実施の形態では、破壊溝１６がビス１５が捩じ込まれる位置に形成されている。すなわち、ビス１５の止め孔２１に破壊溝１６が位置していることになる。この実施の形態の場合、破壊溝１６は、ビス１５の頭部側とねじ側の両方に形成されているが、ボス部１４の厚みを変えることで、一方側だけに形成してもよい。そして、汎用工具類１７の先端を破壊溝１６に挿入し、破断方向に力を加えると、ボス部１４は、破壊溝に沿った部分から破断することになる。その他の構成および効果は第１の実施の形態に準じる。
【００１５】
【発明の効果】
以上説明したように、本発明によれば、ユニットケースを構成する２つのケーシング構成体を締め付け固定するためのケース固定部に破壊溝を形成したので、この破壊溝を汎用工具類等で破壊することで、ケース固定部がユニットケースから破断され、ケースの固定状態が解ける。よって、ユニットケースを短時間で容易に解体することができ、解体後のリサイクル部品の回収も容易となり、その結果、分類別の廃棄処分も可能となる。
【図面の簡単な説明】
【図１】本発明によるケーシング構造の実施の形態１を示すケース固定部の断面図である。
【図２】図１の平面図である。
【図３】図１における破断状態を示す断面図である。
【図４】本発明によるケーシング構造の実施の形態２を示すケース固定部の断面図である。
【図５】本発明によるケーシング構造の実施の形態３を示すケース固定部の断面図である。
【符号の説明】
１１…ユニットケース
１１ａ，１１ｂ…ケーシング構成体
１２…凸部
１３…凹部
１４…ボス部
１５…ビス
１６…破壊溝
１７…汎用工具
１８…係止孔
１９…係止孔
２０…ケース固定部
２１…ビス孔（止め孔）
【図１】
0003574282.tif 000002
【図２】
0003574282.tif 000003
【図３】
0003574282.tif 000004
【図４】
0003574282.tif 000005
【図５】
0003574282.tif 000006